(57)【要約】  【課題】  ドリルやバールなどによる攻撃に強い、堅牢な扉ユニットを提供する。  【解決手段】  扉枠１０にはヒンジ部３０により扉２０が取り付けられている。扉２０の自由端２０ａと、これに対応する扉枠１０の辺との間には印籠嵌合部４０が形成される。ヒンジ部３０は、扉側支点軸３１と、扉枠側支点軸３２と、これら両支点軸を連結する中継板３３を備えるものである。ヒンジ部３０は、印籠嵌合部４０が印籠嵌合を達成する方向に扉２０をシフトさせることが可能であり、ヒンジ部３０を屈曲させて扉２０の自由端２０aを印籠嵌合部４０から引き出すことにより、扉２０の開放が可能になる。【選択図】      図１
2006022536.tif 000002
【特許請求の範囲】
【請求項１】
扉枠と、この扉枠に収容され、一端を支点として開閉する扉を備えた扉ユニットにおいて、
前記扉の自由端と、この自由端に対応する前記扉枠の辺との間に印籠嵌合部を形成するとともに、前記扉の支点側の端を前記扉枠に連結するヒンジ部は、前記印籠嵌合部が印籠嵌合を達成する方向に扉をシフトさせることが可能であることを特徴とする扉ユニット。
【請求項２】
前記ヒンジ部は、扉側支点軸と、扉枠側支点軸と、これら両支点軸を連結する中継板を備えるものであることを特徴とする請求項１に記載の扉ユニット。
【請求項３】
前記ヒンジ部は、前記扉側支点軸と扉枠側支点軸の両方が室内側又は室外側の同じ側に設けられていることを特徴とする請求項２に記載の扉ユニット。
【請求項４】
前記ヒンジ部は、前記扉側支点軸と扉枠側支点軸の一方が室内側に設けられ、他方が室外側に設けられていることを特徴とする請求項２に記載の扉ユニット。
【請求項５】
前記ヒンジ部は、前記扉をスライド可能に保持するものであることを特徴とする請求項１に記載の扉ユニット。
【請求項６】
扉枠と、この扉枠に収容され、一端を支点として開閉する扉を備えた扉ユニットにおいて、
前記扉の自由端と、この自由端に対応する前記扉枠の辺との間に印籠嵌合部を形成するとともに、前記扉の支点側の端を前記扉枠に連結するヒンジ部は、前記印籠嵌合部が印籠嵌合を達成する方向に扉をシフトさせることが可能であり、このヒンジ部は、室内側又は室外側の同じ側に設けられた扉側支点軸及び扉枠側支点軸と、これら両支点軸を連結する中継板を備えるものであり、これらの扉と扉枠に対し、扉に連結された第１のリンクと、扉枠側に設けられたモータの出力軸に固定された第２のリンクとを連結してなる自動開閉装置を組み合わせるとともに、前記モータは、前記第１のリンクと第２のリンクとの連結点を、第１のリンクと扉との連結点と前記出力軸とを結ぶ線の延長上を越えさせることが可能であることを特徴とする扉ユニット。
【発明の詳細な説明】
【技術分野】
【０００１】
本発明は建造物の開口部に組み合わせられるパネル状の遮蔽手段、すなわちドアや窓の戸（本明細書ではこれらを総称して「扉」という）と、これらを収容する枠からなる扉ユニットに関する。
【背景技術】
【０００２】
扉には、これを閉鎖状態に維持するために錠が設けられる。ドアであれば、その自由端に閂状のデッドボルトを設け、鍵を回すことによりそのデッドボルトをドアから突き出させて、ドア枠側の受部に係合させるという構造が一般的である。図６にこのようなドアの構造を示す。図６は模型的平面図であり、図において、１０１はドア枠、１０２はドアである。ドア１０２は一端をヒンジ部１０３でドア枠１０１に連結され、ヒンジ部１０３を支点にして開閉する。ドア１０２の自由端からはデッドボルト１０４が出入りする。デッドボルト１０４がドア枠１０１側の受部に係合していれば、ドア１０２は開かない。
【０００３】
上記のような一般的な構造のドアの場合、施錠箇所が明確であり、ここを集中的に攻撃されやすい。またドア枠１０１とドア１０２の隙間にバールの先端を差し込み、てこの原理を利用して無理矢理こじ開けるといったことも行われやすい。
【０００４】
上記の問題に対処するため、特許文献１に記載されたドアでは、戸先にガード片を形成してドアとドア枠の間の隙間を塞ぎ、隙間にバールが差し込まれてドアがこじ開けられるのを防いでいる。
【特許文献１】特開２００３−１３８８４９号公報（第２−４頁、図１−１０）
【発明の開示】
【発明が解決しようとする課題】
【０００５】
特許文献１に記載されたドアは、バールによる攻撃に強い。しかしながら、バール以外の工具、例えばドリルなどが併用されると、デッドボルトが露出状態にされたうえ、ここに集中的に攻撃を受け、最終的には施錠部が破壊されてしまう可能性がある。
【０００６】
本発明は上記の点に鑑みてなされたものであり、ドリルやバールなどによる攻撃に強い、堅牢な扉ユニットを提案するものである。
【課題を解決するための手段】
【０００７】
（１）本発明では、扉枠と、この扉枠に収容され、一端を支点として開閉する扉を備えた扉ユニットにおいて、前記扉の自由端と、この自由端に対応する前記扉枠の辺との間に印籠嵌合部を形成するとともに、前記扉の支点側の端を前記扉枠に連結するヒンジ部は、前記印籠嵌合部が印籠嵌合を達成する方向に扉をシフトさせることが可能であるものとする。
【０００８】
（２）前記構造の扉ユニットにおいて、前記ヒンジ部は、扉側支点軸と、扉枠側支点軸と、これら両支点軸を連結する中継板を備える。
【０００９】
（３）前記構造の扉ユニットにおいて、前記ヒンジ部は、前記扉側支点軸と扉枠側支点軸の両方が室内側又は室外側の同じ側に設けられている。
【００１０】
（４）前記構造の扉ユニットにおいて、前記ヒンジ部は、前記扉側支点軸と扉枠側支点軸の一方が室内側に設けられ、他方が室外側に設けられている。
【００１１】
（５）前記構造の扉ユニットにおいて、前記ヒンジ部は、前記扉をスライド可能に保持する。
【００１２】
（６）また本発明では、扉枠と、この扉枠に収容され、一端を支点として開閉する扉を備えた扉ユニットにおいて、前記扉の自由端と、この自由端に対応する前記扉枠の辺との間に印籠嵌合部を形成するとともに、前記扉の支点側の端を前記扉枠に連結するヒンジ部は、前記印籠嵌合部が印籠嵌合を達成する方向に扉をシフトさせることが可能であり、このヒンジ部は、室内側又は室外側の同じ側に設けられた扉側支点軸及び扉枠側支点軸と、これら両支点軸を連結する中継板を備えるものであり、これらの扉と扉枠に対し、扉に連結された第１のリンクと、扉枠側に設けられたモータの出力軸に固定された第２のリンクとを連結してなる自動開閉装置を組み合わせるとともに、前記モータは、前記第１のリンクと第２のリンクとの連結点を、第１のリンクと扉との連結点と前記出力軸とを結ぶ線の延長上を越えさせることが可能であるものとする。
【発明の効果】
【００１３】
（１）扉の自由端と、この自由端に対応する扉枠の辺との間に印籠嵌合部を形成し、扉の支点側の端を扉枠に連結するヒンジ部により、印籠嵌合部が印籠嵌合を達成する方向に扉をシフトさせるものとしたから、扉の高さの全体にわたって印籠嵌合部を形成しておけば、扉の高さ全体に攻撃をしかけなければ扉をこじ開けられないことになり、バールなどにより攻撃に対する抵抗力が飛躍的に高まる。
【００１４】
また特許文献１に記載のドアの場合、ドア側にガード片を設けていたため、ガード片の肉厚などに制約を受け、バールによってめくり起こされることのない強度を持たせるのは難しかった。これに対し本発明では、印籠嵌合部の壁部分の肉厚を厚くするなどの補強策が比較的容易であり、印籠嵌合部に十分な強度を持たせることができる。
【００１５】
（２）ヒンジ部は、扉側支点軸と、扉枠側支点軸と、これら両支点軸を連結する中継板を備えるものとし、このような簡単な構成で扉のシフトが達成されるようにしたから、容易に本発明の扉ユニットを実現できる。
【００１６】
（３）ヒンジ部は、扉側支点軸と扉枠側支点軸の両方が室内側又は室外側の同じ側に設けられているから、ヒンジ部の屈曲を防ぎ、扉と中継板を一直線に並べておけば、扉がシフトされ、開かれることを防ぐことができる。
【００１７】
（４）ヒンジ部は、扉側支点軸と扉枠側支点軸の一方が室内側に設けられ、他方が室外側に設けられているから、扉がシフトしないようにさえしておけば、扉が開くのを阻止できる。
【００１８】
（５）ヒンジ部は、扉をスライド可能に保持するものであるから、扉のスライドさえ防げば、扉が開くのを阻止できる。
【００１９】
（６）扉の自由端と、この自由端に対応する扉枠の辺との間に印籠嵌合部を形成し、扉の支点側の端を扉枠に連結するヒンジ部により、印籠嵌合部が印籠嵌合を達成する方向に扉をシフトさせるものとしたから、扉の高さの全体にわたって印籠嵌合部を形成しておけば、扉の高さ全体に攻撃をしかけなければ扉をこじ開けられないことになり、バールなどにより攻撃に対する抵抗力が飛躍的に高まる。そしてヒンジ部が、室内側又は室外側の同じ側に設けられた扉側支点軸及び扉枠側支点軸と、これら両支点軸を連結する中継板を備えるものとしたうえで、これらの扉と扉枠に対し、扉に連結された第１のリンクと、扉枠側に設けられたモータの出力軸に固定された第２のリンクとを連結してなる自動開閉装置を組み合わせ、モータに、第１のリンクと第２のリンクとの連結点を、第１のリンクと扉との連結点と前記出力軸とを結ぶ線の延長上を越えさせることにより、この自動開閉装置がロック手段の機能も果たすことになる。
【発明を実施するための最良の形態】
【００２０】
以下、本発明の第１実施形態を図１、２に基づき説明する。ここでは扉の例として住宅の出入り口用の扉が提示されている。図１（ａ）、（ｂ）、（ｃ）は模型的平面図で、それぞれ異なる状態を示すもの、図２（ａ）、（ｂ）は模型的正面図で、それぞれ異なる状態を示すものである。
【００２１】
扉枠１０には、正面から見て右側の辺に扉２０が取り付けられている。扉２０を扉枠１０に取り付けているのはヒンジ部３０である。ヒンジ部３０は扉側支点軸３１と扉枠側支点軸３２を備え、これら両支点軸を中継板３３で連結した構造になっている。扉側支点軸３１は扉２０の室外側の面と面一、又はそれと近い位置に置かれ、扉枠側支点軸３２も扉側支点軸３１に並ぶように室外側に置かれる。またヒンジ部３０は、扉２０の全高をカバーする長さを有する（図２参照）。
【００２２】
扉２０はヒンジ部３０に連結された端と反対の端が自由端２０ａとなる。自由端２０ａと、これに対応する扉枠１０の辺との間には印籠嵌合部４０が形成されている。印籠嵌合部４０は、扉枠１０の内面に形成された垂直溝１１が扉２０の自由端２０ａを受け入れるという形のものである。印籠嵌合部４０も扉２０の全高をカバーする。
【００２３】
扉枠１０には、印籠嵌合部４０の上端及び下端に近い箇所の屋外側に、ヒンジ部３０の方に向かって延び出す張出部１２が形成されている。逆にヒンジ部３０の側の辺には、屋内側に、ヒンジ部３０の内面に向き合う形の張出部１３が形成されている。張出部１３は、閉鎖状態となった扉２０の端を受けることができる位置まで延びている。
【００２４】
図１（ａ）には扉２０が閉ざされた状態が示されている。この状態から扉２０を開くためには、まず扉２０の自由端２０ａを印籠嵌合部４０から出さねばならない。扉２０の自由端２０ａを印籠嵌合部４０から出すには、図１（ｂ）に示すようにヒンジ部３０を屈曲して扉２０を図の右方にシフトさせる必要がある。そして、扉２０の自由端２０ａが張出部１２に引っかからなくなるのを待って、図１（ｃ）のように扉２０を開く。
【００２５】
扉２０を閉ざすときには、図１（ｂ）の位置から扉２０を左方にシフトさせる。扉側支点軸３１、中継板３３、及び扉枠側支点軸３２が扉２０に対し一直線に並んだ状態になったところで、扉２０は完全に閉じる。
【００２６】
この動きからわかるように、図１（ａ）の状態から扉２０がシフトされなければ、扉２０が開かれることはない。そして、図１（ａ）のように扉側支点軸３１、中継板３３、及び扉枠側支点軸３２が扉２０に対し一直線に並んでいれば扉２０のシフトは起こらないので、扉側支点軸３１が室外側に引き出されるのを防ぐロック装置を設けておけば、扉２０の施錠を行うことができる。
【００２７】
施錠状態においては、扉枠１０と扉２０の自由端２０ａの隙間にバールを差し込むことができない。印籠嵌合部４０を形成する扉枠１０の部分を無理矢理曲げることを考えたとしても、その作業は扉２０の全高にわたって行わねばならず、きわめて困難な作業となる。扉枠１０の肉厚を厚くして扉枠１０を曲げにくしておくことにより、一層困難さを増すことができる。
【００２８】
攻撃の矛先がヒンジ部３０に向かったとしても、扉２０の全高にわたって存在するようなヒンジ部３０とあっては、攻撃のターゲットを絞るのが難しい。扉２０の全高にわたってヒンジ部３０を破壊するというのも困難である。従ってヒンジ部３０も攻撃目標にはなりにくい。結果として、第１実施形態の扉ユニットは外部からの攻撃に対しきわめて堅牢ということになる。
【００２９】
なお、図１（ｂ）の状態で扉２０のシフトをロックできるようにすれば、扉２０の自由端２０ａと扉枠１０の隙間から外を覗き、外来者の確認を行うことができる。つまり通常の扉のドアチェーンによるドアガードと同じ機能が果たされることになる。図２（ｂ）はこの状態を室外側から見たものである。
【００３０】
続いて、本発明の第２実施形態を図３（ａ）、（ｂ）、（ｃ）に基づき説明する。図３（ａ）、（ｂ）、（ｃ）は扉の模型的平面図で、それぞれ異なる状態を示すものである。なお第１実施形態と共通あるいは機能を同じくする構成要素には前と同じ符号を付し、説明は省略する。第３実施形態以下の実施形態にも同じ原則を適用し、既出の構成要素には前と同じ符号を付して説明を省略するものとする。
【００３１】
第２実施形態は第１実施形態の一部変更であり、ヒンジ部３０の構造が第１実施形態と異なっている。すなわち第１実施形態では扉側支点軸３１と扉枠側支点軸３２の両方が室外側に設けられていたのに対し、第２実施形態では、扉側支点軸３１は室外側に設けられ、扉枠側支点軸３２は室内側に設けられている。
【００３２】
図３（ａ）の状態から扉２０を開くためには、図３（ｂ）のように扉２０を図の右方にシフトさせる。そして、扉２０の自由端２０ａが張出部１２に引っかからなくなるのを待って、図３（ｃ）のように扉２０を開く。
【００３３】
この構造では、扉２０のシフトを防ぐロック装置を設けておけば、扉２０の施錠を行うことができる。
【００３４】
続いて、本発明の第３実施形態を図４（ａ）、（ｂ）、（ｃ）に基づき説明する。図４（ａ）、（ｂ）、（ｃ）は扉の模型的平面図で、それぞれ異なる状態を示すものである。
【００３５】
第３実施形態のヒンジ部３５は鞘状であり、その中に扉２０の端をスライド可能に保持している。
【００３６】
図４（ａ）の状態から扉２０を開くためには、図４（ｂ）のように扉２０を図の右方にスライドさせる。そして、扉２０の自由端２０ａが張出部１２に引っかからなくなるのを待って、図４（ｃ）のように扉２０を開く。
【００３７】
この構造では、扉２０がヒンジ部３５の中でスライドしないようにするロック装置を設けておけば、扉２０の施錠を行うことができる。
【００３８】
続いて、本発明の第４実施形態を図５（ａ）、（ｂ）に基づき説明する。図５（ａ）、（ｂ）は扉の模型的平面図で、それぞれ異なる状態を示すものである。
【００３９】
第４実施形態は、第１実施形態の扉２０に自動開閉装置５０を組み合わせたものである。自動開閉装置５０を構成するのは、扉２０に取り付けられた第１のリンク５１と、図示しない取付部材により扉枠１０に支持されたモータ５２と、一端がモータ５２の出力軸５３に固定され、他端が第１のリンク５１の先端に連結された第２のリンク５４である。出力軸５３は、モータ５２に内蔵された減速装置の出力軸であってもよく、モータ５２とは別体の減速装置の出力軸であってもよい。
【００４０】
モータ５２が第２のリンク５４を図５（ａ）の矢印方向に回転させると、扉２０は閉鎖方向へとシフトする。第１のリンク５１と第２のリンク５４の連結点５５が、第１のリンク５１と扉２０との連結点と出力軸５３とを結ぶ線の延長上、すなわち図５（ｂ）の線Ａに達するあたりで、扉２０の自由端２０ａは扉枠１０の垂直溝１１への嵌合を完了する。モータ５２はここで回転を止めず、連結点５５が線Ａを少し越えるまで回転を続ける。扉枠１０固定されたストッパ５６が線Ａを越えてきた第１リンク５１を受け止める。
【００４１】
この構成によれば、ヒンジ部３０の扉側支点軸３１を室外側に引き出そうとする力は、連結点５５が線Ａを逆方向に越えるのを阻害する方向に作用する。すなわち自動開閉装置５０の存在自体が扉２０のロック機構として機能する。扉側支点軸３１を室外側に引き出されないよう留めておくのにそれほど大きな力は必要ないので、このロック機構は十分に施錠の役割を果たすことができる。
【００４２】
上記のような自動開閉装置によるロック機構は、普通のヒンジで扉枠に取り付けられた通常の扉にも適用可能である。
【００４３】
以上本発明の各実施形態につき説明したが、この他、発明の主旨から逸脱しない範囲で種々の改変を加えて実施することができる。
【産業上の利用可能性】
【００４４】
本発明は、外部からの攻撃に強い、堅牢な扉ユニットとして、建造物に広く利用可能である。
【図面の簡単な説明】
【００４５】
【図１】第１実施形態に係る扉の模型的平面図にして、（ａ）、（ｂ）、（ｃ）それぞれ異なる状態を示すもの
【図２】第１実施形態に係る扉の模型的正面図にして、（ａ）、（ｂ）それぞれ異なる状態を示すもの
【図３】第２実施形態に係る扉の模型的平面図にして、（ａ）、（ｂ）、（ｃ）それぞれ異なる状態を示すもの
【図４】第３実施形態に係る扉の模型的平面図にして、（ａ）、（ｂ）、（ｃ）それぞれ異なる状態を示すもの
【図５】第４実施形態に係る扉の模型的平面図にして、（ａ）、（ｂ）それぞれ異なる状態を示すもの
【図６】従来の扉の模型的平面図
【符号の説明】
【００４６】
１０  扉枠
２０  扉
３０  ヒンジ部
３１  扉側支点軸
３２  扉枠側支点軸
３３  中継板
３５  ヒンジ部
４０  印籠嵌合部
５０  自動開閉装置
５１  第１のリンク
５２  モータ
５３  出力軸
５４  第２のリンク
５５  連結点
【図１】
2006022536.tif 000003
【図２】
2006022536.tif 000004
【図３】
2006022536.tif 000005
【図４】
2006022536.tif 000006
【図５】
2006022536.tif 000007
【図６】
2006022536.tif 000008